(57)【要約】【課題】  光源の必要とする発光パワーが定格値を超えるような光源特性の実効的な出力低下が生じた場合でも、所望の記録線速度を低下させることなく対処可能にする。【解決手段】  或る一つの記録線速度条件下での記録中に、光源の必要とする発光パワーが定格値を超えるような光源特性の実効的な出力低下が生じた場合でも、当該記録線速度に対応する記録波形を変形させることにより（図４（ｄ）（ｅ）又は（ｆ））、所望の記録線速度を低下させることなく良好なる記録が行えるよう対処できるようにした。【選択図】    図４
2005071438.tif 000002
【特許請求の範囲】
【請求項１】
光記録媒体上を走査させる記録線速度と関係付けられて予め規定された記録波形に従い光源を発光させた記録光を前記光記録媒体の記録層に照射させることにより情報を記録する情報記録方法において、
或る一つの記録線速度条件下での記録中に、光源特性の実効的な出力低下を起こす要因に関する変動を測定監視する測定監視工程と、
測定された要因に関する変動により前記光源の必要とする発光パワーが定格値を超える場合には或る一つの当該記録線速度に対応する前記記録波形を変形させる記録波形変形処理工程と、
或る一つの当該記録線速度条件のまま、変形された記録波形に従い前記光源を発光させて記録を行わせる変形後記録動作続行工程と、
を備えることを特徴とする情報記録方法。
【請求項２】
前記記録波形が少なくとも２つ以上の発光パワーレベルからなり、前記記録層の光学的性質を変化させる発光パワーレベルを記録レベルとしたとき、
光源特性の実効的な出力低下を起こす要因に関する変動の一つが、対象部位の温度の変動であり、測定された温度の上昇に対して、前記記録レベルの発光時間を増加させるように前記記録波形を変形させる、ことを特徴とする請求項１記載の情報記録方法。
【請求項３】
光源特性の実効的な出力低下を起こす要因に関する変動の一つである対象部位の温度の変動は、当該対象部位に配置させた温度センサのセンサ出力に基づき直接的に測定監視するようにした、ことを特徴とする請求項２記載の情報記録方法。
【請求項４】
光源特性の実効的な出力低下を起こす要因に関する変動の一つである対象部位の温度の変動は、前記光源による記録光の発光時間の累積値に基づき間接的に測定監視するようにした、ことを特徴とする請求項２記載の情報記録方法。
【請求項５】
光源特性の実効的な出力低下を起こす要因に関する変動の一つである対象部位の温度の変動は、前記光源による記録光の発光時間とその記録パワーとの積に基づき間接的に測定監視するようにした、ことを特徴とする請求項２記載の情報記録方法。
【請求項６】
前記記録波形が少なくとも２つ以上の発光パワーレベルからなり、前記記録層の光学的性質を変化させる発光パワーレベルを記録レベルとしたとき、
光源特性の実効的な出力低下を起こす要因に関する変動の一つが、前記光源が必要とする記録パワーの変動であり、測定された記録パワーの上昇に対して、前記記録レベルの発光時間を増加させるように前記記録波形を変形させる、ことを特徴とする請求項１記載の情報記録方法。
【請求項７】
光源特性の実効的な出力低下を起こす要因に関する変動の一つである前記光源が必要とする記録パワーの変動は、記録時の前記光記録媒体からの反射光強度に基づき測定監視するようにした、ことを特徴とする請求項６記載の情報記録方法。
【請求項８】
基準クロックに対して記録レベルの記録光が発光する開始点を時間的に前側に移動させるよう前記記録波形を変形させることで、前記記録レベルの発光時間を増加させる、ことを特徴とする請求項２ないし７の何れか一記載の情報記録方法。
【請求項９】
基準クロックに対して記録レベルの記録光が発光する終息点を時間的に後側に移動させるよう前記記録波形を変形させることで、前記記録レベルの発光時間を増加させる、ことを特徴とする請求項２ないし７の何れか一記載の情報記録方法。
【請求項１０】
基準クロックに対して記録レベルの記録光が発光する開始点を時間的に前側に移動させるとともに終息点を時間的に後側に移動させるよう前記記録波形を変形させることで、前記記録レベルの発光時間を増加させる、ことを特徴とする請求項２ないし７の何れか一記載の情報記録方法。
【請求項１１】
前記記録波形の変形は、前記要因に関する変動に基づく演算により算出して決定する、ことを特徴とする請求項１ないし１０の何れか一記載の情報記録方法。
【請求項１２】
予め前記要因に関する変動に対応付けて前記記録波形の変形パターンをテーブルに格納しておき、
前記記録波形の変形は、前記要因に関する変動に基づき前記テーブルを参照して決定する、ことを特徴とする請求項１ないし１０の何れか一記載の情報記録方法。
【請求項１３】
複数の記録線速度中で、より高い記録線速度を、或る一つの前記記録線速度の対象とする、ことを特徴とする請求項１ないし１２の何れか一記載の情報記録方法。
【請求項１４】
前記光源がレーザダイオードである、ことを特徴とする請求項１ないし１３の何れか一記載の情報記録方法。
【請求項１５】
前記光記録媒体が、記録層に有機色素材料を用いた追記型光記録媒体である、ことを特徴とする請求項１ないし１４の何れか一記載の情報記録方法。
【請求項１６】
光記録媒体上を走査させる記録線速度と関係付けられて予め規定された記録波形に従い光源を発光させた記録光を前記光記録媒体の記録層に照射させることにより情報を記録する情報記録装置において、
前記光記録媒体を回転駆動させる回転機構と、
前記光源を含み、前記光記録媒体に対して記録光を照射する光ピックアップと、
或る一つの記録線速度条件下での記録中に、光源特性の実効的な出力低下を起こす要因に関する変動を測定監視する測定監視手段と、
測定された要因に関する変動により前記光源の必要とする発光パワーが定格値を超える場合には或る一つの当該記録線速度に対応する前記記録波形を変形させる記録波形変形処理手段と、
或る一つの当該記録線速度条件のまま、変形された記録波形に従い前記光源を発光させて記録を行わせる変形後記録動作続行手段と、
を備えることを特徴とする情報記録装置。
【請求項１７】
前記記録波形が少なくとも２つ以上の発光パワーレベルからなり、前記記録層の光学的性質を変化させる発光パワーレベルを記録レベルとしたとき、
光源特性の実効的な出力低下を起こす要因に関する変動の一つが、対象部位の温度の変動であり、測定された温度の上昇に対して、前記記録レベルの発光時間を増加させるように前記記録波形を変形させる、ことを特徴とする請求項１６記載の情報記録装置。
【請求項１８】
前記測定監視手段は、光源特性の実効的な出力低下を起こす要因に関する変動の一つである対象部位の温度の変動を、当該対象部位に配置させた温度センサのセンサ出力に基づき直接的に測定監視する、ことを特徴とする請求項１７記載の情報記録装置。
【請求項１９】
前記測定監視手段は、光源特性の実効的な出力低下を起こす要因に関する変動の一つである対象部位の温度の変動を、前記光源による記録光の発光時間の累積値に基づき間接的に測定監視する、ことを特徴とする請求項１７記載の情報記録装置。
【請求項２０】
前記測定監視手段は、光源特性の実効的な出力低下を起こす要因に関する変動の一つである対象部位の温度の変動を、前記光源による記録光の発光時間とその記録パワーとの積に基づき間接的に測定監視する、ことを特徴とする請求項１７記載の情報記録装置。
【請求項２１】
前記記録波形が少なくとも２つ以上の発光パワーレベルからなり、前記記録層の光学的性質を変化させる発光パワーレベルを記録レベルとしたとき、
光源特性の実効的な出力低下を起こす要因に関する変動の一つが、前記光源が必要とする記録パワーの変動であり、測定された記録パワーの上昇に対して、前記記録レベルの発光時間を増加させるように前記記録波形を変形させる、ことを特徴とする請求項１６記載の情報記録装置。
【請求項２２】
前記測定監視手段は、光源特性の実効的な出力低下を起こす要因に関する変動の一つである前記光源が必要とする記録パワーの変動を、記録時の前記光記録媒体からの反射光強度に基づき測定監視する、ことを特徴とする請求項１７記載の情報記録装置。
【請求項２３】
前記記録波形変形処理手段は、基準クロックに対して記録レベルの記録光が発光する開始点を時間的に前側に移動させるよう前記記録波形を変形させることで、前記記録レベルの発光時間を増加させる、ことを特徴とする請求項１７ないし２２の何れか一記載の情報記録装置。
【請求項２４】
前記記録波形変形処理手段は、基準クロックに対して記録レベルの記録光が発光する終息点を時間的に後側に移動させるよう前記記録波形を変形させることで、前記記録レベルの発光時間を増加させる、ことを特徴とする請求項１７ないし２２の何れか一記載の情報記録装置。
【請求項２５】
記録波形変形処理手段は、基準クロックに対して記録レベルの記録光が発光する開始点を時間的に前側に移動させるとともに終息点を時間的に後側に移動させるよう前記記録波形を変形させることで、前記記録レベルの発光時間を増加させる、ことを特徴とする請求項１７ないし２２の何れか一記載の情報記録装置。
【請求項２６】
記録波形変形処理手段は、前記記録波形の変形を、前記要因に関する変動に基づく演算により算出して決定する、ことを特徴とする請求項１６ないし２５の何れか一記載の情報記録装置。
【請求項２７】
予め前記要因に関する変動に対応付けて前記記録波形の変形パターンをテーブルに格納しておき、
記録波形変形処理手段は、前記記録波形の変形を、前記要因に関する変動に基づき前記テーブルを参照して決定する、ことを特徴とする請求項１６ないし２５の何れか一記載の情報記録装置。
【請求項２８】
複数の記録線速度中で、より高い記録線速度を、或る一つの前記記録線速度の対象とする、ことを特徴とする請求項１６ないし２７の何れか一記載の情報記録装置。
【請求項２９】
前記光源がレーザダイオードである、ことを特徴とする請求項１６ないし２８の何れか一記載の情報記録装置。
【請求項３０】
前記光記録媒体が、記録層に有機色素材料を用いた追記型光記録媒体である、ことを特徴とする請求項１６ないし２９の何れか一記載の情報記録装置。
【発明の詳細な説明】
【技術分野】
【０００１】
本発明は、ＣＤ−Ｒ／ＲＷ，ＤＶＤ−Ｒ／ＲＷ，ＤＶＤ＋Ｒ／ＲＷ等の記録（追記型、書換え型）可能な光記録媒体に対する情報記録方法及び情報記録装置に関する。
【背景技術】
【０００２】
従来の情報記録装置では、記録時の駆動部からの発熱、光源からの発熱により、情報記録装置内の温度が上昇し、それに伴う温度による光源の波長変動、効率低下などにより設定された記録波形で必要な発光パワーが光源の定格値を超えてしまい、良好な記録品質ができなくなることがある。即ち、レーザダイオード（ＬＤ）を用いた光記録媒体に対する従来の情報記録装置では、ＬＤの特性上、高出力記録を行うことが難しく、このような高出力が困難な情報記録装置において、温度や情報記録装置の光源の照射時間、照射パワー変動などにより実効的な出力低下が起こった場合、光記録媒体に好適な記録ができなくなることがある。
【０００３】
その解決方法として、記録線速度を落とすことにより必要な記録パワーを下げる方法が知られている。
【０００４】
また、特許文献１によれば、記録手段の近傍における温度を検出する温度検出手段と、検出された温度に応じて記録手段で照射するレーザ光の記録ストラテジを制御する制御手段とを備える提案がなされている。
【０００５】
【特許文献１】特開２００１−２９７４３７公報
【発明の開示】
【発明が解決しようとする課題】
【０００６】
しかしながら、記録線速度を落とすことにより必要な記録パワーを下げる解決方法では、根本的に、所望の記録線速度を維持できないという欠点がある。
【０００７】
また、特許文献１によれば、検出温度に応じて記録ストラテジを制御することが記載されているものの、ＡＰＣによりレーザ光の照射パワーが制御された条件下ではレーザ光源の周囲温度の変化に追従することができず、光ディスクに対する情報の記録動作を適切に行うことが困難となる虞がある点を考慮してなされたものであり、光源の必要とする発光パワーが定格値を超えるような光源特性の実効的な出力低下が生じた場合の対策については言及されておらず、結局は、上記のような記録線速度を落とすことにより必要な記録パワーを下げる解決方法を採らざるを得ないものである。
【０００８】
本発明の目的は、光源の必要とする発光パワーが定格値を超えるような光源特性の実効的な出力低下が生じた場合でも、所望の記録線速度を低下させることなく対処し得るようにすることである。
【課題を解決するための手段】
【０００９】
請求項１記載の発明は、光記録媒体上を走査させる記録線速度と関係付けられて予め規定された記録波形に従い光源を発光させた記録光を前記光記録媒体の記録層に照射させることにより情報を記録する情報記録方法において、或る一つの記録線速度条件下での記録中に、光源特性の実効的な出力低下を起こす要因に関する変動を測定監視する測定監視工程と、測定された要因に関する変動により前記光源の必要とする発光パワーが定格値を超える場合には或る一つの当該記録線速度に対応する前記記録波形を変形させる記録波形変形処理工程と、或る一つの当該記録線速度条件のまま、変形された記録波形に従い前記光源を発光させて記録を行わせる変形後記録動作続行工程と、を備える。
【００１０】
請求項２記載の発明は、請求項１記載の情報記録方法において、前記記録波形が少なくとも２つ以上の発光パワーレベルからなり、前記記録層の光学的性質を変化させる発光パワーレベルを記録レベルとしたとき、光源特性の実効的な出力低下を起こす要因に関する変動の一つが、対象部位の温度の変動であり、測定された温度の上昇に対して、前記記録レベルの発光時間を増加させるように前記記録波形を変形させる。
【００１１】
請求項３記載の発明は、請求項２記載の情報記録方法において、光源特性の実効的な出力低下を起こす要因に関する変動の一つである対象部位の温度の変動は、当該対象部位に配置させた温度センサのセンサ出力に基づき直接的に測定監視するようにした。
【００１２】
請求項４記載の発明は、請求項２記載の情報記録方法において、光源特性の実効的な出力低下を起こす要因に関する変動の一つである対象部位の温度の変動は、前記光源による記録光の発光時間の累積値に基づき間接的に測定監視するようにした。
【００１３】
請求項５記載の発明は、請求項２記載の情報記録方法において、光源特性の実効的な出力低下を起こす要因に関する変動の一つである対象部位の温度の変動は、前記光源による記録光の発光時間とその記録パワーとの積に基づき間接的に測定監視するようにした。
【００１４】
請求項６記載の発明は、請求項１記載の情報記録方法において、前記記録波形が少なくとも２つ以上の発光パワーレベルからなり、前記記録層の光学的性質を変化させる発光パワーレベルを記録レベルとしたとき、光源特性の実効的な出力低下を起こす要因に関する変動の一つが、前記光源が必要とする記録パワーの変動であり、測定された記録パワーの上昇に対して、前記記録レベルの発光時間を増加させるように前記記録波形を変形させる。
【００１５】
請求項７記載の発明は、請求項６記載の情報記録方法において、光源特性の実効的な出力低下を起こす要因に関する変動の一つである前記光源が必要とする記録パワーの変動は、記録時の前記光記録媒体からの反射光強度に基づき測定監視するようにした。
【００１６】
請求項８記載の発明は、請求項２ないし７の何れか一記載の情報記録方法において、基準クロックに対して記録レベルの記録光が発光する開始点を時間的に前側に移動させるよう前記記録波形を変形させることで、前記記録レベルの発光時間を増加させる。
【００１７】
請求項９記載の発明は、請求項２ないし７の何れか一記載の情報記録方法において、基準クロックに対して記録レベルの記録光が発光する終息点を時間的に後側に移動させるよう前記記録波形を変形させることで、前記記録レベルの発光時間を増加させる。
【００１８】
請求項１０記載の発明は、請求項２ないし７の何れか一記載の情報記録方法において、基準クロックに対して記録レベルの記録光が発光する開始点を時間的に前側に移動させるとともに終息点を時間的に後側に移動させるよう前記記録波形を変形させることで、前記記録レベルの発光時間を増加させる。
【００１９】
請求項１１記載の発明は、請求項１ないし１０の何れか一記載の情報記録方法において、前記記録波形の変形は、前記要因に関する変動に基づく演算により算出して決定する。
【００２０】
請求項１２記載の発明は、請求項１ないし１０の何れか一記載の情報記録方法において、予め前記要因に関する変動に対応付けて前記記録波形の変形パターンをテーブルに格納しておき、前記記録波形の変形は、前記要因に関する変動に基づき前記テーブルを参照して決定する。
【００２１】
請求項１３記載の発明は、請求項１ないし１２の何れか一記載の情報記録方法において、複数の記録線速度中で、より高い記録線速度を、或る一つの前記記録線速度の対象とする。
【００２２】
請求項１４記載の発明は、請求項１ないし１３の何れか一記載の情報記録方法において、前記光源がレーザダイオードである。
【００２３】
請求項１５記載の発明は、請求項１ないし１４の何れか一記載の情報記録方法において、前記光記録媒体が、記録層に有機色素材料を用いた追記型光記録媒体である。
【００２４】
請求項１６記載の発明は、光記録媒体上を走査させる記録線速度と関係付けられて予め規定された記録波形に従い光源を発光させた記録光を前記光記録媒体の記録層に照射させることにより情報を記録する情報記録装置において、前記光記録媒体を回転駆動させる回転機構と、前記光源を含み、前記光記録媒体に対して記録光を照射する光ピックアップと、或る一つの記録線速度条件下での記録中に、光源特性の実効的な出力低下を起こす要因に関する変動を測定監視する測定監視手段と、測定された要因に関する変動により前記光源の必要とする発光パワーが定格値を超える場合には或る一つの当該記録線速度に対応する前記記録波形を変形させる記録波形変形処理手段と、或る一つの当該記録線速度条件のまま、変形された記録波形に従い前記光源を発光させて記録を行わせる変形後記録動作続行手段と、を備える。
【００２５】
請求項１７記載の発明は、請求項１６記載の情報記録装置において、前記記録波形が少なくとも２つ以上の発光パワーレベルからなり、前記記録層の光学的性質を変化させる発光パワーレベルを記録レベルとしたとき、光源特性の実効的な出力低下を起こす要因に関する変動の一つが、対象部位の温度の変動であり、測定された温度の上昇に対して、前記記録レベルの発光時間を増加させるように前記記録波形を変形させる。
【００２６】
請求項１８記載の発明は、請求項１７記載の情報記録装置において、前記測定監視手段は、光源特性の実効的な出力低下を起こす要因に関する変動の一つである対象部位の温度の変動を、当該対象部位に配置させた温度センサのセンサ出力に基づき直接的に測定監視する。
【００２７】
請求項１９記載の発明は、請求項１７記載の情報記録装置において、前記測定監視手段は、光源特性の実効的な出力低下を起こす要因に関する変動の一つである対象部位の温度の変動を、前記光源による記録光の発光時間の累積値に基づき間接的に測定監視する。
【００２８】
請求項２０記載の発明は、請求項１７記載の情報記録装置において、前記測定監視手段は、光源特性の実効的な出力低下を起こす要因に関する変動の一つである対象部位の温度の変動を、前記光源による記録光の発光時間とその記録パワーとの積に基づき間接的に測定監視する。
【００２９】
請求項２１記載の発明は、請求項１６記載の情報記録装置において、前記記録波形が少なくとも２つ以上の発光パワーレベルからなり、前記記録層の光学的性質を変化させる発光パワーレベルを記録レベルとしたとき、光源特性の実効的な出力低下を起こす要因に関する変動の一つが、前記光源が必要とする記録パワーの変動であり、測定された記録パワーの上昇に対して、前記記録レベルの発光時間を増加させるように前記記録波形を変形させる。
【００３０】
請求項２２記載の発明は、請求項１７記載の情報記録装置において、前記測定監視手段は、光源特性の実効的な出力低下を起こす要因に関する変動の一つである前記光源が必要とする記録パワーの変動を、記録時の前記光記録媒体からの反射光強度に基づき測定監視する。
【００３１】
請求項２３記載の発明は、請求項１７ないし２２の何れか一記載の情報記録装置において、前記記録波形変形処理手段は、基準クロックに対して記録レベルの記録光が発光する開始点を時間的に前側に移動させるよう前記記録波形を変形させることで、前記記録レベルの発光時間を増加させる。
【００３２】
請求項２４記載の発明は、請求項１７ないし２２の何れか一記載の情報記録装置において、前記記録波形変形処理手段は、基準クロックに対して記録レベルの記録光が発光する終息点を時間的に後側に移動させるよう前記記録波形を変形させることで、前記記録レベルの発光時間を増加させる。
【００３３】
請求項２５記載の発明は、請求項１７ないし２２の何れか一記載の情報記録装置において、記録波形変形処理手段は、基準クロックに対して記録レベルの記録光が発光する開始点を時間的に前側に移動させるとともに終息点を時間的に後側に移動させるよう前記記録波形を変形させることで、前記記録レベルの発光時間を増加させる。
【００３４】
請求項２６記載の発明は、請求項１６ないし２５の何れか一記載の情報記録装置において、記録波形変形処理手段は、前記記録波形の変形を、前記要因に関する変動に基づく演算により算出して決定する。
【００３５】
請求項２７記載の発明は、請求項１６ないし２５の何れか一記載の情報記録装置において、予め前記要因に関する変動に対応付けて前記記録波形の変形パターンをテーブルに格納しておき、記録波形変形処理手段は、前記記録波形の変形を、前記要因に関する変動に基づき前記テーブルを参照して決定する。
【００３６】
請求項２８記載の発明は、請求項１６ないし２７の何れか一記載の情報記録装置において、複数の記録線速度中で、より高い記録線速度を、或る一つの前記記録線速度の対象とする置。
【００３７】
請求項２９記載の発明は、請求項１６ないし２８の何れか一記載の情報記録装置において、前記光源がレーザダイオードである。
【００３８】
請求項３０記載の発明は、請求項１６ないし２９の何れか一記載の情報記録装置において、前記光記録媒体が、記録層に有機色素材料を用いた追記型光記録媒体である。
【発明の効果】
【００３９】
請求項１，１６記載の発明によれば、或る一つの記録線速度条件下での記録中に、光源の必要とする発光パワーが定格値を超えるような光源特性の実効的な出力低下が生じた場合でも、当該記録線速度に対応する記録波形を変形させるので、所望の記録線速度を低下させることなく良好なる記録が行えるよう対処することができる。
【００４０】
請求項２，１７記載の発明によれば、温度上昇に起因する光源特性の実効的な出力低下に対して、所望の記録線速度を低下させることなく良好なる記録が行えるよう対処することができる。
【００４１】
請求項３，１８記載の発明によれば、請求項２，１７記載の発明を実現する上で、対象部位、例えば装置内の温度を温度センサにより直接的に測定監視することにより、容易に実現することができる。
【００４２】
請求項４，１９記載の発明によれば、請求項２，１７記載の発明を実現する上で、対象部位、例えば装置内の温度を光源の発光時間の累積値に基づき間接的に測定監視することにより、温度センサ等を用いることなく電気的な演算処理により容易に実現することができる。
【００４３】
請求項５，２０記載の発明によれば、請求項２，１７記載の発明を実現する上で、対象部位、例えば装置内の温度を光源の発光時間とその記録パワーとの積に基づき間接的に測定監視することにより、温度センサ等を用いることなく電気的な演算処理により容易に実現することができる。
【００４４】
請求項６，２１記載の発明によれば、記録パワーの上昇に起因する光源特性の実効的な出力低下に対して、所望の記録線速度を低下させることなく良好なる記録が行えるよう対処することができる。
【００４５】
請求項７，２２記載の発明によれば、請求項６，２１記載の発明を実現する上で、光記録媒体の面内の感度変動に対する追従性を上げることができる。
【００４６】
請求項８，２３記載の発明によれば、請求項２ないし７、１７ないし２２記載の発明を実現する上で、記録レベルの記録光が発光する開始点を時間的に前側に移動させるだけの記録波形の変形で容易に実現することができる。
【００４７】
請求項９，２４記載の発明によれば、請求項２ないし７、１７ないし２２記載の発明を実現する上で、記録レベルの記録光が発光する終息点を時間的に後側に移動させるだけの記録波形の変形で容易に実現することができる。
【００４８】
請求項１０，２５記載の発明によれば、請求項２ないし７、１７ないし２２記載の発明を実現する上で、記録レベルの記録光が発光する開始点を時間的に前側に移動させ、かつ、終息点を時間的に後側に移動させるだけの記録波形の変形で容易に実現することができる。
【００４９】
請求項１１，２６記載の発明によれば、請求項１ないし１０、１６ないし２５記載の発明を実現する上で、記録波形の変形について演算に基づき決定するので、各種変動に対して適正に対処することができる。
【００５０】
請求項１２，２７記載の発明によれば、請求項１ないし１０、１６ないし２５記載の発明を実現する上で、記録波形の変形について変形パターンを格納したテーブルを参照して決定するので、簡単に実現することができる。
【００５１】
請求項１３，２８記載の発明によれば、請求項１ないし１２、１６ないし２７記載の発明を実現する上で、より大きな記録パワーを必用とし定格値を超えやすい、より高い記録線速度を対象とする場合に好適に適用することができる。
【００５２】
請求項１４，２９記載の発明によれば、請求項１ないし１３、１６ないし２８記載の発明を実現する上で、温度によって波長変動、効率変動が起きやすいレーザダイオードを光源として用いる場合に好適に適用することができる。
【００５３】
請求項１５，３０記載の発明によれば、請求項１ないし１４、１６ないし２９記載の発明を実現する上で、記録媒体面内の感度変動が大きく、かつ、感度の波長依存性が大きい有機色素材料を用いた追記型光記録媒体の場合に好適に適用することができる。
【発明を実施するための最良の形態】
【００５４】
本発明を実施するための最良の形態を図面に基づいて説明する。
【００５５】
以下詳細を説明する、本発明の実施の形態は、温度などの環境変動による光源の波長変動、効率変動に対応した最適な記録波形を自動的に導出する情報記録方法及び情報記録装置を実現するものである。
【００５６】
ここで、光記録媒体と情報記録装置の構成について、概略を説明する。対象となる光記録媒体は、ＤＶＤ−ＲＡＭ・ＷＯ、ＤＶＤ−Ｒ、ＤＶＤ＋ＲとＤＶＤ−ＲＡＭ、ＤＶＤ−ＲＷ、ＤＶＤ＋ＲＷ等の記録可能な媒体である。前者のＤＶＤ−ＲＡＭ・ＷＯ、ＤＶＤ−Ｒ、ＤＶＤ＋Ｒは、１回だけ書込みが可能な追記型ＤＶＤである（なお、ＤＶＤ Write Onceともいわれている）。また、後者のＤＶＤ−ＲＡＭ、ＤＶＤ−ＲＷ、ＤＶＤ＋ＲＷは、複数回の書込みが可能な書換え型ＤＶＤである。これらのＤＶＤ＋ＲやＤＶＤ＋ＲＷ等の光記録媒体は、図１に示すような情報記録装置によって情報の記録再生が行われる。
【００５７】
図１は、ＤＶＤ対応の情報記録装置（光ディスク装置）について、その要部構成の一例を示す機能ブロック図である。図において、１は光記録媒体、２はスピンドルモータ、３は光ピックアップ、４はモータドライバ、５はリードアンプ、６はサーボ手段、７はＤＶＤデコーダ、８はＡＤＩＰデコーダ、９はレーザコントローラ、１０はＤＶＤエンコーダ、１１はＤＶＤ−ＲＯＭエンコーダ、１２はバッファＲＡＭ、１３はバッファマネージャ、１４はＤＶＤ−ＲＯＭデコーダ、１５はＡＴＡＰＩ／ＳＣＳＩインターフェース、１６はＤ／Ａコンバータ、１７はＲＯＭ、１８はＣＰＵ、１９はＲＡＭ、２０はパルスジェネレータを示し、LBはレーザ光、Audioはオーディオ出力信号を示す。
【００５８】
この図１において、矢印はデータが主に流れる方向を示しており、また、図を簡略化するために、図１の各ブロックを制御するＣＰＵ１８には、太線のみを付けて各ブロックとの接続を省略している。ＲＯＭ１７には、ＣＰＵ１８にて解読可能なコードで記述された制御プログラムが格納されている。なお、当該情報記録装置の電源がオン状態になると、前記プログラムは不図示のメインメモリにロードされ、ＣＰＵ１８はそのプログラムに従って上記各部の動作を制御するとともに、制御に必要なデータ等を一時的にＲＡＭ１９に保存する。
【００５９】
当該情報記録装置の構成及び動作は、次の通りである。光記録媒体１は、回転機構としてのスピンドルモータ２によって回転駆動される。このスピンドルモータ２は、モータドライバ４とサーボ手段６により、線速度又は角速度が一定になるように制御される。この線速度又は角速度は、階段的に変更することが可能である。光ピックアップ３は、図示されないレーザダイオード（光源）、光学系、フォーカスアクチュエータ、トラックアクチュエータ、受光素子及びポジションセンサを内蔵しており、レーザ光ＬＢを光記録媒体１に照射する。また、この光ピックアップ３は、シークモータによってスレッジ方向への移動が可能である。これらのフォーカスアクチュエータ、トラックアクチュエータ、シークモータは、受光素子とポジションセンサから得られる信号に基づいて、モータドライバ４とサーボ手段６とにより、レーザ光ＬＢのスポットが光記録媒体１上の目的の場所に位置するように制御される。
【００６０】
そして、リード時には、光ピックアップ３によって得られた再生信号が、リードアンプ５で増幅されて２値化される。リードアンプ５内では主に最長信号振幅を規格化する過程と記録マーク信号を増幅する波形等価機能を経て２値化される。入力された２値化データは、このＤＶＤデコーダ７において、８／１６復調される。なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００６１】
復調されたデータは、デインターリーブとエラー訂正の処理が行われる。その後、このデータは、ＤＶＤ−ＲＯＭデコーダ１４へ入力され、データの信頼性を高めるために、さらに、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェース１５を介して、図示しないホストコンピュータへ一気に転送される。なお、音楽データの場合には、ＤＶＤデコーダ７から出力されたデータが、Ｄ／Ａコンバータ１６へ入力され、アナログのオーディオ出力信号Ａｕｄｉｏとして取り出される。
【００６２】
また、ライト時には、ＡＴＡＰＩ／ＳＣＳＩインターフェース１５を通して、ホストコンピュータから送られてきたデータは、バッファマネージャ１３によって一旦バッファＲＡＭ１２に蓄えられる。その後、ライト動作が開始されるが、この場合には、その前にレーザスポットを書き込み開始地点に位置させる必要がある。この地点は、ＤＶＤ＋ＲＷ／＋Ｒでは、予め光記録媒体１上にトラックの蛇行により刻まれているウォブル信号によって求められる。
【００６３】
なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
【００６４】
ＤＶＤ＋ＲＷ／＋Ｒなる光記録媒体１におけるウォブル信号には、ＡＤＩＰ（ADress In Pre-groove）と呼ばれるアドレス情報が含まれており、この情報が、ＡＤＩＰデコーダ８によって取り出される。また、このＡＤＩＰデコーダ８によって生成される同期信号は、ＤＶＤエンコーダ１０へ入力され、光記録媒体１上の正確な位置へのデータの書込みを可能にしている。バッファＲＡＭ１２のデータは、ＤＶＤ−ＲＯＭエンコーダ１１やＤＶＤエンコーダ１０において、エラー訂正コードの付加や、インターリーブが行われ記録用の信号として８／１６変換される。記録用に変調された信号はパルスジェネレータ２０において光記録媒体１に適した記録光波形に変換され、レーザコントローラ９、光ピックアップ３を介して、光記録媒体１に記録される。光ピックアップ３の効率の補正には記録光の回折光を直接に受光素子により測定し、そのパワー変動によりレーザコントローラ９の記録パワーを変更することが可能である。光記録媒体１に対する記録パワーの補正方法として記録後発光時の反射光の変動から、光記録媒体１に対する記録パワーの効率を測定しレーザコントローラ９の記録パワーを補正することが可能である。また、本実施の形態の場合、記録波形と記録パワーの補正方法であるため、アドレスの制御方法はランドプリピットやプリピットからアドレス情報を得る構成であっても良い。
【００６５】
図２はこの情報記録装置（光ディスク装置）を備えるＰＣ等の情報処理装置の概略図である。当該情報処理装置は、主制御装置２１、インターフェース２２、記録装置（ＨＤＤ）２３、入力装置２４及び表示装置２５などを備えている。主制御装置２１は、マイクロコンピュータ、メインメモリ（何れも不図示）などを含んで構成され、ホスト全体を制御する。インターフェース２２は、情報記録装置２６との双方向の通信インターフェースであり、ＡＴＡＰＩ及びＳＣＳＩ等の標準インターフェースに準拠している。インターフェース２２は情報記録装置２６のインターフェース１５と接続されている。なお、各インターフェース１５，２２間の接続形態は、通信ケーブル（例えばＳＣＳＩケーブル）などの通信線を用いたケーブル接続だけでなく、赤外線などを利用したワイヤレス接続であっても良い。
【００６６】
記録装置（ハード記録媒体ＨＤＤ）２３には、主制御装置２１のマイクロコンピュータで解読可能なコードで記述されたプログラムが格納されている。なお、当該情報処理装置の駆動電源がオン状態になると、上記プログラムは主制御装置２１のメインメモリにロードされる。表示装置２５は、例えばＣＲＴ、液晶ディスプレイ（ＬＣＤ）及びプラズマディスプレイパネル（ＰＤＰ）などの表示部（図示省略）を備え、主制御装置２１からの各種情報を表示する。入力装置２４は、例えばキーボード、マウス及びポインティングデバイスなどのうち少なくとも１つの入力媒体（図示省略）を備え、ユーザから入力された各種情報を主制御装置２１に通知する。なお、入力媒体からの情報はワイヤレス方式で入力されても良い。また、表示装置２５と入力装置２４とが一体化したものとして、例えばタッチパネル付きＣＲＴなどがある。
【００６７】
また、情報処理装置はオペレーティングシステム（以下「ＯＳ」という）を搭載している。そして、情報処理装置を構成する全てのデバイスはＯＳによって管理されているものとする。
【００６８】
ここに、従来の情報記録装置では、記録時の駆動部からの発熱、光源からの発熱により、情報記録装置内の温度が上昇し、それに伴う温度による発光素子の波長変動、効率低下などにより設定された記録波形で必要な記録パワーが光源の定格値を超えてしまい良好な記録品質ができなくなることがある。その解決方法として、前述したように、記録線速を落とすことにより必要な記録パワーを下げる方法が知られている。
【００６９】
これに対して、本実施の形態では、光記録媒体１に対する記録において、例えば情報記録装置内の温度による光源の波長変動、効率低下などの光源特性の実効的な出力低下を起こす要因の変動に対して、記録波形を変形させることにより記録品質を保持しながら高速記録を実現するものである.従って、本実施の形態は、例えば温度によって波長変動、効率変動が起きやすい光源において最も効果を発揮するものであり、このような光源の最も代表的な例としてレーザダイオードが挙げられる。
【００７０】
本発明を実施する情報記録装置としては、記録波形を変形するための条件を測定監視可能な機能（光源特性の実効的な出力低下を起こす要因に関する変動を測定監視する機能）を有し、測定監視された条件に合わせて記録波形の変形量を算出する機能を有し、記録波形を変形して記録可能な機能を有することにより実現可能である。一例として図１の情報記録装置を用いた場合、測定監視された条件に合わせて記録波形の変形量を算出する機能をＣＰＵ１８に持たせ、記録波形を変形して記録可能な機能をパルスジェネレータ２０に持たせることにより実現可能である。
【００７１】
記録波形の変形の条件としては、レーザコントローラ９の記録パワーの設定値が好適である。また、レーザダイオードなど温度によって発光効率が変わる光源においては情報記録装置内及び／又は情報記録装置近傍（対象部位）の温度を測定する温度センサ２７を設け（図１参照）、検出されたその温度における発光効率から記録に必要とする発光パワーを算出し、当該レーザダイオードの定格値を考慮し、必要とする発光パワーが定格値を超えるような場合には、記録波形の変形を行うことも可能である。この場合、温度センサ２７の設定位置は最もレーザダイオードに近い発熱体であるレーザコントローラ９近傍が好適である。
【００７２】
また、光源の温度としては、温度センサ２７を用いて直接的に検出するだけでなく、例えば、記録光の発光時間から概算することも可能であることから、記録光の発光時間を累積することによって間接的に監視測定し、当該レーザダイオードの定格値を考慮し、必要とする発光パワーが定格値を超えるような場合には、記録波形の変形を行うことも可能である。この場合、パルスジェネレータ２０で決定される記録波形の発光時間及び／又はレーザコントローラ９で決定される記録パワーをＣＰＵ１８で累積しておき、累積された発光時間若しくは発光時間と記録パワーとの積が所定の値を超えたときに記録波形の変形を行わせることも可能である。
【００７３】
また、一般に記録線速度が速い方が大きな発光パワーを必要とし、レーザダイオードの定格値を超えやすいため、複数の記録線速度を用いて記録可能な情報記録装置においては、より高い記録線速度での記録において本発明はより効果があるといえる。
【００７４】
また、記録層に有機色素材料を用いた追記型の光記録媒体１では当該媒体面内の記録光に対する感度変動を補正するため、媒体面内で記録パワーを変動させる方が好適である。代表的な記録パワーの補正方法として、記録光の反射光強度変化を用いて記録パワーを調整する方法が知られている。この場合においては媒体面内で記録パワーが大きく変動するため、必要とする発光パワーが光源（レーザダイオード）の定格値を超えてしまう可能性が高くなる。この場合においても、本発明を用いることで記録線速度を落とすことなく、記録パワー低減化を図ることが可能である。
【００７５】
また、記録層に有機色素材料を用いた光記録媒体１は、感度の波長依存性が高いため、記録光波長の変動により記録パワーが大きく変動する。一方、レーザダイオードは温度により発光効率とともに波長変動も伴う。そのため、レーザダイオードを用いて有機色素材料層に記録する場合、記録パワーが温度により大きく変動し、レーザダイオードの定格値を超える可能性が高くなる。従って、本実施の形態による記録パワー低減がより効果的になる。
【００７６】
本実施の形態では、光記録媒体１として、追記型に適用し、記録層は、フタロシアニン系色素材料を基板上に塗布することで形成した。この他に挙げられる記録層の材料として、ポリメチン系色素、アントラキノン系色素、シアニン系色素、ナフタロシアニン系色素、キサンテン系色素、トリフェニルメタン系色素、ピリリウム系色素、アズレンケイ色素、含金属アゾ染料、アゾ染料などを挙げることができる。これらのうちでは、ジカルボシアニン誘導体、フタロシアニン誘導体、ナフタロシアニン誘導体、シアニン誘導体、アゾ染料誘導体、ホルマザン系色素が特に好適に用いられる。また、アミニウム系色素などの各種クエンチャが添加された色素材料を用いることもできる。さらには、上記色素材料群より選択される１種又は２種以上の色素材料を樹脂中に分散したものを記録層の形成材料として用いることもできる。色素材料を分散可能な樹脂材料としては、アクリル樹脂、ビニル樹脂、フェノール樹脂、フッ素樹脂、シリコーン樹脂、ポリアミド樹脂、セルロース樹脂などを挙げることができる。
【００７７】
また、これらの有機色素材料を基板上へ塗布する際の色素材料の溶剤としては、アルコール系溶剤或いはセルソルブ系溶剤などを用いることができる。さらに、以下に示す二座配位子を取りうるキレート材を含有し、本発明の目的を達成することもできる。例えば、無機酸類、ジカルボン酸類、オキシカルボン酸類、ジオキシ化合物、オキシオキシム類、オキシアルデヒド及び誘導体類、ジケトン類及び類似化合物、オキシキノン類、トロボロン類、Ｎ−オキシド化合物、アミノカルボン酸及び類似化合物、ヒドロキシルアミン類、オキシン類、アルジミン類、オキシオキシム類、オキシアゾ化合物、ニトロソナフトール類、トリアゼン類、ピウレット類、ホルマザン類及びジチゾン類、ビクアリド類、グリオキシム、ジアミン類及び類似化合物、ヒドラジン誘導体、チオエーテル類がある。さらに、イミノ基（イミド、アミド）を有する誘導体も使用可能である。
【００７８】
有機色素を用いた記録材料において一般的な記録波形は、図３に示すように、記録パワーレベルとバイアスレベルとの２つの発光パワーレベルから構成されるものが代表的である。図３は（ａ）に示すような基本周期Ｔに対して、ｎＴ記録マーク（ｎは自然数）として、例えば、（ｂ）に示すような５Ｔ記録マークを記録する場合の記録波形例を示しており、（ｃ）はｎ−１＝４個のマルチパルス波形を用いて記録する記録波形、（ｄ）は単一の矩形波パルスを用いて記録する記録波形を示している。（ｅ）は例えば単一の矩形波パルスにつきその先頭部分の記録レベルを２段階に切換えるようにした記録波形、（ｆ）は例えば単一の矩形波パルスにつきその後端部分の記録レベルを２段階に切換えるようにした記録波形、（ｇ）は例えば単一の矩形波パルスにつきその先頭部分及び後端部分の記録レベルを２段階に切換えるようにした記録波形例を示している。
【００７９】
本実施の形態の記録波形の変形方法はこのような記録波形に対して、記録層の光学的性質を変化させる発光パワーレベルである記録レベルの発光時間を延長させる方法を用いている。この場合、本実施の形態では、図３（ｃ）に示したようなマルチパルス波形による記録波形への適用例を示し、例えば、図４（ｄ）に示すように基準クロックＴに対して記録レベルの記録光が発光する開始点を時間的に前側（左側）に移動させる方法と、図４（ｅ）に示すように基準クロックＴに対して記録レベルの記録光が発光する終息点を時間的に後側（右側）に移動させる方法と、図４（ｆ）に示すように基準クロックＴに対して記録レベルの記録光が発光する開始点を時間的に前側（左側）に移動させるとともに、基準クロックＴに対して記録レベルの記録光が発光する終息点を時間的に後側（右側）に移動させる方法との何れかが用いられる。
【００８０】
また、記録パワーレベルにさらにパワーを変動させた領域を持たせた記録波形（図３（ｅ）〜（ｇ））も考えられるが、その領域も記録パワーレベルの一部として考えられるため本発明の適用は可能である.
何れにしても、本実施の形態の情報記録装置に必要な構成は、一般的なＣＤ−Ｒ／ＲＷドライブ、ＤＶＤ−Ｒ，ＤＶＤ−ＲＷ，ＤＶＤ＋ＲＷドライブにおける光記録媒体１に記録する機能に、記録波形を変形する条件を評価する機能、換言すれば、光源特性の実効的な出力低下を起こす要因に関する変動を測定監視する機能、及び、測定監視結果に応じて記録波形を変形し変形後の記録波形で記録を続行する機能、換言すれば、測定監視の結果、光源の必要とする発光パワーが定格値を超える場合にはその時の記録線速度に対応する記録波形を変形させる機能及び或る一つの当該記録線速度条件のまま、変形された記録波形に従い光源を発光させて記録を行わせる機能を有することにより実現可能である.
光源特性の実効的な出力低下を起こす要因に関する変動を測定監視する機能としては、記録パワーの変動を測定する機能、及び／又は、当該情報記録装置内又は情報記録装置近傍なる対象部位の温度を測定する機能、及び／又は、記録光の発光時間を積算する機能等が挙げられる。
【００８１】
記録波形の変形は、測定監視された記録パワーの変動などの条件に従いＣＰＵ１８により演算して算出することにより決定する方法や、予め各種要因に関する変動に対応付けて記録波形の変形パターンをテーブルとしてＲＯＭ１７等に格納しておき、測定監視された記録パワーの変動などの条件に従いこのテーブルを参照して決定する方法などをとることができる。
【００８２】
そこで、例えば温度センサ２７を用いた場合にＣＰＵ１８により実行される動作制御例を図５に示す概略フローチャートを参照して説明する。この処理制御は、或る一つの記録線速度による条件下で対応する記録波形を用いた記録動作中に実行されるものであり、ＣＰＵ１８は、随時温度センサ２７の検知出力を取り込むことにより、光源特性の実効的な出力低下を起こす要因に関する変動として温度の変動を測定監視する（ステップＳ１；測定監視工程、測定監視手段）。この測定監視において、温度に所定値以上の変動がなければ（Ｓ２のＮ）、そのまま記録動作を続行する（Ｓ３）。一方、温度変動があった場合には（Ｓ２のＹ）、その温度変動により光源の必要とする発光パワーを算出し（Ｓ４）、算出された発光パワーがレーザダイオードの定格値を超えるか否か判定する（Ｓ５）。判定の結果、定格値を超えなければ（Ｓ５のＮ）、発光パワーのみを変更設定して（Ｓ６）、そのまま記録動作を続行する（Ｓ３）。しかし、判定の結果、定格値を超える場合には（Ｓ５のＹ）、当該記録線速度用として用いられている記録波形を温度変動に応じて変形させる（Ｓ７；記録波形変形処理工程、記録波形変形処理手段）。そして、記録線速度はそのままとして、変形された記録波形の情報をパルスジェネレータ２０に出力し、変形された記録波形に従いレーザダイオードを発光させて記録動作を行わせる（Ｓ３；変形後記録動作続行工程、変形後記録動作続行手段）。
【００８３】
ちなみに、記録波形の変形を行うことにより記録品質は徐々に低下していくため、記録波形の変更が一定範囲を超えるとき、記録線速度を維持せず、一段階落とす機能を有する方がより好適である.
【実施例】
【００８４】
以下、上述の実施の形態を具体化した実施例を基に本発明の効果を述べる。本実施例では、光記録媒体１としてＤＶＤ＋Ｒを用いて本発明の効果を確認した。本実施例では、リコー製のＤＶＤ＋Ｒをリコー製ＤＶＤ＋Ｒ／＋ＲＷドライブMP5125Aを用いて記録した。本ドライブ装置は有機色素材料を用いた光記録媒体に対して、記録時に反射光の強度変化から記録パワー制御する機能を有している。本実施例で用いたＤＶＤ＋Ｒ／＋ＲＷドライブでは発光パワー２０ｍＷまでしか発光しないよう制御した。即ち、定格値を２０ｍＷとした。本実施例では記録パワーが２０ｍＷに達したときに各実施例で設定した記録波形の変形を行った。一方、比較例１では記録パワーが２０ｍＷに達した場合、２０ｍＷのまま固定して記録を続けた。また、比較例２では記録パワーが２０ｍＷに達したとき、記録線速を２．０ｘまで落として記録を続けた。記録線速は２．４ｘＤＶＤスピードを用いた。記録ストラテジはファームウェアのパラメータを変更することにより行なった。記録信号はパルステック社製DDU1000により信号を再生した。ジッター特性はヨコガワ製TIA“TA320”を用いて測定した。
【００８５】
表１は本実施例及び比較例をまとめたものである。
【００８６】
【表１】
2005071438.tif 000003
【００８７】
本発明の効果は、外周部の記録品質及び外周部の記録線速によって評価した。記録品質はジッターによって評価した。ジッターは各記録マーク、スペースのばらつきを表したものであり、９％以下が好適と判断した。記録線速度はＤＶＤの標準再生線速の何倍かによって評価した。記録波形の変形方法として、実施例１では各記録波形の記録レベルの記録光が発光する開始点を時間的に前方に０．１５Ｔ（Ｔ：記録マークの基本周期）ずつずらしたものである。実施例２では各記録波形の記録レベルの記録光が発光する終息点を時間的に後方に０．１５Ｔずつずらしたものである。実施例３では記録レベルの記録光が発光する開始点を時間的に前方に０．１Ｔ、終息点を時間的に後方に０．０５Ｔずつずらしたものである。
【００８８】
比較例１では外周部で光記録媒体に適した発光パワーが２０ｍＷを超えてしまい、大幅に記録品質が劣化している。これに対して実施例１及び２では記録線速度を落とすことなく記録品質を良好な値に保持している。さらに実施例３ではジッターは８．５％を切る良好な値を示した。一方、比較例２では記録品質は十分良好であるが、記録線速度が落ちているため記録終了迄の時間が本発明の実施例に対して多くかかってしまっている。
【図面の簡単な説明】
【００８９】
【図１】ＤＶＤ対応の情報記録装置について、その要部構成の一例を示す機能ブロック図である。
【図２】情報記録装置を備える情報処理装置の構成例を示す概略図である。
【図３】記録波形例を示す説明図である。
【図４】記録波形の変形のさせ方を示す説明図である。
【図５】処理制御例を示す概略フローチャートである。
【符号の説明】
【００９０】
１      光記録媒体
２      回転機構
３      光ピックアップ
２７      温度センサ
【図１】
2005071438.tif 000004
【図２】
2005071438.tif 000005
【図３】
2005071438.tif 000006
【図４】
2005071438.tif 000007
【図５】
2005071438.tif 000008